(57)【要約】【課題】操作つまみの操作性を維持しつつ、機器の操作面からの突出を抑えることのできる操作ダイヤル装置及びこれを用いた電子制御装置と提供する。【解決手段】電子機器の操作パネル１と、操作パネル１に形成された傾斜面１ａと、傾斜面１ａに形成された開口部１ｂと、操作パネル１の内側に設けられ、開口部１ｂから角部が露出するように配設された操作つまみ５とを備える。操作つまみ５は筒状体であり、ボリューム素子４の回動軸４ａに固着されている。操作つまみ５の中央部には、ミュート用のスイッチング素子６を切換可能なボタン７が構成されている。【選択図】　図１
2004038343.tif 000002
【特許請求の範囲】
【請求項１】
機器の操作面の傾斜部分に形成された開口の内側に設けられ、前記開口の外側に一部が露出するように配設された操作つまみを備えたことを特徴とする操作ダイヤル装置。
【請求項２】
前記操作つまみは筒状体であり、
前記操作つまみの中央部には、前記操作つまみとは別の操作手段が配設されていることを特徴とする請求項１記載の操作ダイヤル装置。
【請求項３】
前記操作つまみは、前記機器のボリュームを操作可能に構成され、
前記操作手段は、前記機器のミュート用スイッチを切換可能に構成されていることを特徴とする請求項２記載の操作ダイヤル装置。
【請求項４】
電子機器の操作面と、
前記操作面に形成された傾斜面と、
前記傾斜面に形成された開口部と、
前記操作面の内側に設けられ、前記開口部から一部が露出するように配設された操作つまみと、
を備えたことを特徴とする電子制御装置。
【請求項５】
前記操作つまみは筒状体であり、
前記操作つまみの中央部には、前記操作つまみとは別の操作手段が配設されていることを特徴とする請求項４記載の電子制御装置。
【請求項６】
前記操作つまみは、前記機器のボリュームを操作可能に構成され、
前記操作手段は、前記機器のミュート用スイッチを切換可能に構成されていることを特徴とする請求項５記載の電子制御装置。
【発明の詳細な説明】
【０００１】
【発明の属する技術分野】
本発明は、電子機器等の操作ダイヤル装置に係り、特に、その操作性と省スペース性に改良を施した操作ダイヤル装置及びこれを用いた電子制御装置に関する。
【０００２】
【従来の技術】
電子音響機器等においては、ボリューム操作、チューニング操作、メニュー表示の切換操作等、様々な操作を行なうために、回転ダイヤル式の操作つまみが多く採用されている。このような操作つまみは、一般的には円柱形状であり、電子音響機器の操作面から垂直に突出した回転ボリューム等の回動軸に対して、その中心が固着されている。
【０００３】
そして、この操作つまみの側面を、回動軸に対して略垂直な方向（第１の方向）から押圧しながら摩擦力を生じさせ（指でつまむようにしてもよい）、その状態で回転方向に力を加えることによって回転操作を行う。また、このような操作つまみでは、その円柱形状の上面であって側面に近い位置を、回動軸と略平行な方向（第２の方向）から押圧しながら摩擦力を生じさせ、その状態で回転方向に力を加えることによっても、回転操作を行なうことができる。操作つまみに対して、斜め方向から摩擦力を生じさせるようにして回転させることもできる。
【０００４】
【発明が解決しようとする課題】
ところで、上述のような回転ダイヤル式の操作つまみは、操作つまみの側面を押圧若しくはつまんで行なう回転操作と、操作つまみの上面を押圧して行なう回転操作の双方ができるようにするためには、電子音響機器の筐体等の操作面から、操作つまみの全体若しくは側面の一部を、指でつまめる程度に突出させる必要がある。操作つまみに対して、斜め方向から摩擦力を生じさせるようにして回転させるときも同様である。しかしながら、このように、操作つまみを操作面から突出させる構造とすると、電子音響機器に必要とされる空間が大きくなって、省スペース化に貢献できない。
【０００５】
本発明は、上記のような従来技術の問題点を解決するために提案されたものであり、その目的は、操作つまみの操作性を維持しつつ、機器の操作面からの突出を抑えることのできる操作ダイヤル装置及び電子制御装置を提供することにある。
【０００６】
【課題を解決するための手段】
上記の目的を達成するため、請求項１の発明である操作ダイヤル装置は、機器の操作面の傾斜部分に形成された開口の内側に設けられ、前記開口の外側に一部が露出するように配設された操作つまみを備えたことを特徴とする。
請求項４の発明である電子制御装置は、電子機器の操作面と、前記操作面に形成された傾斜面と、前記傾斜面に形成された開口部と、前記操作面の内側に設けられ、前記開口部から一部が露出するように配設された操作つまみとを備えたことを特徴とする。
以上のような請求項１、４の発明では、操作つまみの一部が、傾斜面に形成された開口部から露出しているので、機器の操作性を維持しつつ、操作面からの操作つまみの突出を抑えることができ、省スペース化が実現できる。
【０００７】
請求項２の発明は、請求項１の操作ダイヤル装置において、前記操作つまみは筒状体であり、前記操作つまみの中央部には、前記操作つまみとは別の操作手段が配設されていることを特徴とする。
請求項５の発明は、請求項４の電子制御装置において、前記操作つまみは筒状体であり、前記操作つまみの中央部には、前記操作つまみとは別の操作手段が配設されていることを特徴とする。
以上のような請求項２、５の発明では、操作つまみの中央部に、別の操作手段が配設されているので、少ないスペースで、多くの機能を実現することができる。
【０００８】
請求項３の発明は、請求項２の操作ダイヤル装置において、前記操作つまみは、前記機器のボリュームを操作可能に構成され、前記操作手段は、前記機器のミュート用スイッチを切換可能に構成されていることを特徴とする。
請求項６の発明は、請求項５の電子制御装置において、前記操作つまみは、前記機器のボリュームを操作可能に構成され、前記操作手段は、前記機器のミュート用スイッチを切換可能に構成されていることを特徴とする。
【０００９】
以上のような請求項３、６の発明では、機器のボリュームとミュートという関連性の高い機能を操作するための部分が、近接した位置に配設されているので、ユーザが操作し易い。
【００１０】
【発明の実施の形態】
次に、本発明の実施の形態（以下「実施形態」と呼ぶ）について図面を参照して具体的に説明する。
〔実施形態の構成〕
まず、本実施形態の構成を、図１〜５を参照して説明する。すなわち、本実施形態は、電子機器における筐体の操作パネル１の内側に配設されており、電子機器の回路基板２上に構成されたボリューム素子４、操作つまみ５、スイッチング素子６及びボタン７を備えている。
【００１１】
ボリューム素子４は、電子機器の音量等を調節するためのリング状の可変抵抗器等の素子であり、その円筒形状の回動軸４ａは、操作パネル１側に突出している。操作つまみ５は、ボリューム素子４の回動軸４ａに対して、同軸に固着された略円筒形状の部材であり、その側面には滑り止めのために、回動軸４ａと平行な溝５ａ（図４参照）が多数形成されている。スイッチング素子６は、電子機器の音量のミュートを行なうための素子であり、ボリューム素子４の中心部に取り付けられている。ボタン７は、押圧によりスイッチング素子６のＯＮ、ＯＦＦを切り換える円柱形の部材であり、ボリューム素子４及び操作つまみ５の中心から前方に突出している。
【００１２】
さらに、操作パネル１の前面と右側面とのなす角部には、奥側に傾斜した傾斜面１ａが形成されている。そして、この傾斜面１ａには、図２に示すように、略円弧状の開口部１ｂが形成されている。開口部１ｂからは、その内側に配設された操作つまみ５の角部が露出するように設けられている。これにより、図１〜４に示すように、操作つまみ５のほぼ半分程度が露出するが、電子機器の手前側には突出しない。また、操作パネル１には、ボタン７の前端が露出するボタン穴１ｃも形成されている。
【００１３】
〔実施形態の作用〕
以上のような本実施形態は、以下のように操作する。すなわち、電子機器の音量調節を行なう場合には、操作つまみ５の露出部分の側面を、回動軸に対して略垂直な方向（第１の方向）から押圧しながら摩擦力を生じさせ（指でつまむようにしてもよい）、その状態で回転方向に力を加えることによって回転操作を行う。また、操作つまみ５の露出部分の上面（操作パネル１の前面側）を、回動軸と略平行な方向（第２の方向）から押圧しながら摩擦力を生じさせ、その状態で回転方向に力を加えることによっても、回転操作を行なうことができる。
【００１４】
操作つまみ５に対して、斜め方向から摩擦力を生じさせるようにして回転操作を行なうこともできる。さらに、操作パネル１の前面から露出したボタン７の前端を押圧することにより、スイッチング素子６によるミュートのＯＮ、ＯＦＦを切り換えることができる。
【００１５】
〔実施形態の効果〕
以上のような本実施形態によれば、操作つまみ５の側面を押圧若しくはつまんで行なう回転操作、上面を押圧して行なう回転操作、斜め方向から押圧して行なう回転操作を全て行なうことができるので、ユーザにとって快適な操作性が維持される。しかも、操作パネル１の前面から操作つまみ５が突出しておらず、電子機器の外形の内側に納まっているので、省スペース化が実現できる。
【００１６】
また、操作つまみ５の中央部に、別の操作手段であるミュート用のボタン７が配設されているので、少ないスペースで、多くの機能を実現することができる。特に、ボリューム操作とミュート操作は関連性が高いので、操作つまみ５とボタン７が近接配置されていると、ユーザが操作し易い。
【００１７】
〔他の実施形態〕
本発明は、上記の実施形態に限定されるものではない。例えば、操作つまみ５の形状は、上記の実施形態で例示したものには限定されず、円柱形状、多角柱形状、角部に丸みを設けたもの、側面に単一の若しくは複数の突起若しくは凹凸を設けたもの、側面の溝を丸波型や角波型としたもの等、自由である。開口部１ｂの形状も自由である。また、操作つまみ５の中心部におけるミュートのための構成部分は、他の機能を有するものであっても、省略してもよい。また、操作つまみ５は回転式には限定されず、図５に示すように、指を離すと定位置０に戻るように設定された揺動式（揺動レバー）であってもよい。
【００１８】
また、傾斜面１ａの形成位置は、上記の実施形態で例示した位置には限定されず、例えば、操作パネル１の左であっても、上、下、右上、右下、左上、左下等であっても構わない。操作つまみ５の回転あるいは揺動によって操作される部材も、ボリューム素子４には限定されず、多段のスイッチとしたり、複数のスイッチとしたり、可変コンデンサとしたり等、どのような部材であってもよく、これらの部材をワイヤやリンク機構等の動力伝達部材を介して間接的に操作する構成とすることも可能である。そして、操作つまみ５の回転によって得られる機能も自由であり、ボリューム操作、チューニング操作、メニューやリスト表示の切換操作、スクロール表示操作、機構部分の切換操作等、どのような機能であってもよい。さらに、本発明が適用される機器も、音響機器等の電子機器には限定されない。
【００１９】
なお、操作つまみ５の露出の程度は、自由に設定可能である。但し、上記の実施形態のように、操作つまみ５のほぼ半分が隠れている構成とすると、その回転方向に意味付けを与え易い。例えば、図６に示すように、操作つまみ５により実現される機能（ボリュームならボリュームとしての機能／パラメータ）が、アップ（増）／ダウン（減）を要素とするものであれば、操作つまみ５が傾斜面１ａから露出している部分を、上側に回転（揺動）させる方向をアップ、下側に回転（揺動）させる方向をダウンと設定する。すると、ユーザが、操作つまみ５をどちらに回転（揺動）させれば、所望の結果が得られるかを直感的に理解し易く、回転（揺動）方向を間違えることがない。操作つまみ５を、図７に示すように、左側に設けた場合には、回転方向は当然に逆に設定すれば、同様の効果が得られる。
【００２０】
【発明の効果】
以上のように、本発明によれば、操作つまみの操作性を維持しつつ、機器の操作面からの突出を抑えることのできる操作ダイヤル装置及び電子制御装置を提供することができる。
【図面の簡単な説明】
【図１】本発明の実施形態の平面断面図。
【図２】本発明の実施形態を適用した電子機器の正面図。
【図３】本発明の実施形態を適用した電子機器の平面図。
【図４】本発明の実施形態を適用した電子機器の右側面図。
【図５】本発明の他の実施形態における揺動式の操作つまみを示す正面図。
【図６】本発明の実施形態における操作つまみの回転方向の意味付けを示す図。
【図７】本発明の他の実施形態における操作つまみの回転方向の意味付けを示す図。
【符号の説明】
１…操作パネル
１ａ…傾斜面
１ｂ…開口部
１ｃ…ボタン穴
２…回路基板
４…ボリューム素子
４ａ…回動軸
５…操作つまみ
５ａ…溝
６…スイッチング素子
７…ボタン
【図１】
2004038343.tif 000003
【図２】
2004038343.tif 000004
【図３】
2004038343.tif 000005
【図４】
2004038343.tif 000006
【図５】
2004038343.tif 000007
【図６】
2004038343.tif 000008
【図７】
2004038343.tif 000009